(57)【要約】【課題】配線部材が基板収納ケースなどに引っ掛かって破損するおそれを低減し、配線部材が所定の位置に位置決めされた後も不意に所定の位置から外れることを防止可能な遊技機を提供する。【解決手段】払出基板収納ケース５５の外方に配線部材収納空間７６１を備え、払出基板収納ケース５５には、配線部材収納空間７６１に収納された配線部材Ｃの少なくとも一部を前記配線部材収納空間７６１から引き出す方向を規制する引き出し規制部７５３と、配線部材収納空間７６１に収納された配線部材Ｃの少なくとも一部が配線部材収納空間７６１から脱落するのを抑制する脱落抑制部７４５とを有する。【選択図】      図９
2007117514.tif 000002
【特許請求の範囲】
【請求項１】
電気的に接続可能な配線部材と、
制御基板を収容可能な基板収納ケースと、
を備えた遊技機において、
前記基板収納ケースの外方に配線部材収納空間を備え、
前記基板収納ケースには、前記配線部材収納空間に収納された前記配線部材の少なくとも一部を前記配線部材収納空間から引き出す方向を規制する引き出し規制部と、前記配線部材収納空間に収納された前記配線部材の少なくとも一部が前記配線部材収納空間から脱落するのを抑制する脱落抑制部とを有することを特徴とする遊技機。
【請求項２】
前記基板収納ケースには引き出し規制部形成面及び脱落抑制部形成面が各々段差で略平行な位置関係となるように形成され、前記引き出し規制部は前記引き出し規制部形成面に設けられると共に前記脱落抑制部は前記脱落抑制部形成面に設けられており、前記引き出し規制部の少なくとも一部が前記引き出し規制部形成面から前記脱落抑制部形成面側に向けて前記基板収納ケースの外方向に突き出した構成とされ、前記脱落抑制部の少なくとも一部が前記脱落抑制部形成面から前記引き出し規制部側に向けて突出した構成からなることを特徴とする請求項１に記載の遊技機。
【請求項３】
前記配線部材には前記基板収納ケースに収納された前記制御基板の被接続部に接続可能な接続部を備え、
前記基板収納ケースには開口部形成面を備え、前記開口部形成面に前記制御基板の前記被接続部を露出させると共に前記接続部を前記被接続部に接続可能とする開口部が形成されており、
前記基板収納ケースに収納された前記制御基板の被接続部と前記接続部で接続された配線部材を前記引き出し規制部と前記開口部形成面との間を通すようにすると共に、前記配線部材が前記引き出し規制部と前記開口部形成面との間を通した際に前記開口部から一旦屈曲するように前記引き出し規制部を有することを特徴とする請求項１または２に記載の遊技機。
【請求項４】
前記脱落抑制部形成面が前記開口部形成面と同一あるいは前記開口部形成面側に設けられ、前記開口部形成面と前記突き出された引き出し規制部の間に前記配線部材が通されることを特徴とする請求項３に記載の遊技機。
【請求項５】
前記引き出し規制部と前記脱落抑制部により、前記配線部材収納空間へ前記配線部材を挿入可能な挿入部を構成することを特徴とする請求項１から４の何れか一項に記載の遊技機。
【請求項６】
前記基板収納ケースの側壁と前記引き出し規制部と前記脱落抑制部により、前記配線部材収納空間を構成することを特徴とする請求項１から５の何れか一項に記載の遊技機。
【請求項７】
前記引き出し規制部及び前記脱落抑制部が前記基板収納ケースの端部側に設けられていることを特徴とする請求項１から６の何れか一項に記載の遊技機。
【請求項８】
前記引き出し規制部と前記脱落抑制部の何れか一方あるいは双方に、前記配線部材収納空間における前記配線部材の収納位置を固定する配線部材収納位置固定部が形成されていることを特徴とする請求項１から７の何れか一項に記載の遊技機。
【発明の詳細な説明】
【技術分野】
【０００１】
本発明は、電気的に接続可能な配線部材と制御基板を収容可能な基板収納ケースとを備える遊技機に関する。
【背景技術】
【０００２】
従来、パチンコ遊技機等の遊技機には、電気的に接続可能な配線部材と制御基板を収容可能な基板収納ケースとを備えるものがある。
【０００３】
しかし、従来の遊技機にあっては、配線部材が乱雑に位置し、配線部材が他の部材、例えば基板収納ケースの一部に引っ掛かる等して破損するおそれがあった。
【０００４】
また、配線部材を拘束するフックを設けて所定位置に配線部材を位置決めすることが提案されているが、その場合には不意にフックから配線部材が外れて配線部材が乱雑になったり、配線部材が他の部材に引っ掛かるようになって破損のおそれを生じたりする問題がある。
【０００５】
【特許文献１】特開２００４−２５４８３８号公報（段落００２６、図２）
【発明の開示】
【発明が解決しようとする課題】
【０００６】
本発明は、前記の点に鑑みてなされたものであって、配線部材が基板収納ケースなどに引っ掛かって破損するおそれを低減し、また、配線部材が所定の位置に位置決めされた後も不意に所定の位置から外れることを防止可能な遊技機の提供を目的とする。
【課題を解決するための手段】
【０００７】
請求項１の発明は、電気的に接続可能な配線部材と、制御基板を収容可能な基板収納ケースと、を備えた遊技機において、前記基板収納ケースの外方に配線部材収納空間を備え、前記基板収納ケースには、前記配線部材収納空間に収納された前記配線部材の少なくとも一部を前記配線部材収納空間から引き出す方向を規制する引き出し規制部と、前記配線部材収納空間に収納された前記配線部材の少なくとも一部が前記配線部材収納空間から脱落するのを抑制する脱落抑制部とを有することを特徴とする。
【０００８】
請求項２の発明は、請求項１において、前記基板収納ケースには引き出し規制部形成面及び脱落抑制部形成面が各々段差で略平行な位置関係となるように形成され、前記引き出し規制部は前記引き出し規制部形成面に設けられると共に前記脱落抑制部は前記脱落抑制部形成面に設けられており、前記引き出し規制部の少なくとも一部が前記引き出し規制部形成面から前記脱落抑制部形成面側に向けて前記基板収納ケースの外方向に突き出した構成とされ、前記脱落抑制部の少なくとも一部が前記脱落抑制部形成面から前記引き出し規制部側に向けて突出した構成からなることを特徴とする。
【０００９】
請求項３の発明は、請求項１または２において、前記配線部材には前記基板収納ケースに収納された前記制御基板の被接続部に接続可能な接続部を備え、前記基板収納ケースには開口部形成面を備え、前記開口部形成面に前記制御基板の前記被接続部を露出させると共に前記接続部を前記被接続部に接続可能とする開口部が形成されており、前記基板収納ケースに収納された前記制御基板の被接続部と前記接続部で接続された配線部材を前記引き出し規制部と前記開口部形成面との間を通すようにすると共に、前記配線部材が前記引き出し規制部と前記開口部形成面との間を通した際に前記開口部から一旦屈曲するように前記引き出し規制部を有することを特徴とする。
【００１０】
請求項４の発明は、請求項３において、前記脱落抑制部形成面が前記開口部形成面と同一あるいは前記開口部形成面側に設けられ、前記開口部形成面と前記突き出された引き出し規制部の間に前記配線部材が通されることを特徴とする。
【００１１】
請求項５の発明は、請求項１から４の何れか一項において、前記引き出し規制部と前記脱落抑制部により、前記配線部材収納空間へ前記配線部材を挿入可能な挿入部を構成することを特徴とする。
【００１２】
請求項６の発明は、請求項１から５の何れか一項において、前記基板収納ケースの側壁と前記引き出し規制部と前記脱落抑制部により、前記配線部材収納空間を構成することを特徴とする。
【００１３】
請求項７の発明は、請求項１から６の何れか一項において、前記引き出し規制部及び前記脱落抑制部が前記基板収納ケースの端部側に設けられていることを特徴とする。
【００１４】
請求項８の発明は、請求項１から７の何れか一項において、前記引き出し規制部と前記脱落抑制部の何れか一方あるいは双方に、前記配線部材収納空間における前記配線部材の収納位置を固定する配線部材収納位置固定部が形成されていることを特徴とする。
【発明の効果】
【００１５】
請求項１の発明によれば、基板収納ケースの外方に配線部材収納空間を備え、基板収納ケースには、配線部材収納空間に収納された配線部材の少なくとも一部を配線部材収納空間から引き出す方向を規制する引き出し規制部と、前記配線部材収納空間に収納された配線部材の少なくとも一部が配線部材収納空間から脱落するのを抑制する脱落抑制部とを有することにより、配線部材が乱雑となるのを防止すると共に、配線部材が基板収納ケースなどに引っ掛かって破損するおそれを低減し、配線部材が所定の位置に位置決めされた後も不意に配線部材が所定の位置から外れることを防止することが可能である。
【００１６】
請求項２の発明によれば、基板収納ケースには引き出し規制部形成面及び脱落抑制部形成面が各々段差で略平行な位置関係となるように形成され、引き出し規制部は前記引き出し規制部形成面に設けられると共に脱落抑制部は前記脱落抑制部形成面に設けられており、前記引き出し規制部の少なくとも一部が前記引き出し規制部形成面から前記脱落抑制部形成面側に向けて前記基板収納ケースの外方向に突き出した構成とされ、前記脱落抑制部の少なくとも一部が前記脱落抑制部形成面から前記引き出し規制部側に向けて突出した構成としたことにより、引き出し規制部及び脱落抑制部を基板収納ケースに設けることが可能である。
【００１７】
請求項３の発明によれば、配線部材には基板収納ケースに収納された制御基板の被接続部に接続可能な接続部を備え、前記基板収納ケースには開口部形成面を備え、前記開口部形成面に前記制御基板の前記被接続部を露出させると共に前記接続部を前記被接続部に接続可能とする開口部が形成されており、前記基板収納ケースに収納された前記制御基板の被接続部と前記接続部で接続された配線部材を前記引き出し規制部と前記開口部形成面との間を通すようにすると共に、前記配線部材が前記引き出し規制部と前記開口部形成面との間を通した際に前記開口部から一旦屈曲するように前記引き出し規制部を有する構成としたことにより、配線部材が基板収納ケースなどに引っ掛かって破損するおそれを低減することが可能である。
【００１８】
請求項４の発明によれば、前記脱落抑制部形成面が開口部形成面と同一あるいは前記開口部形成面側に設けられ、前記開口部形成面と前記突き出された引き出し規制部の間に前記配線部材が通される構成としたことにより、配線部材が乱雑となるのを防止すると共に、配線部材が基板収納ケースなどに引っ掛かって破損するおそれを低減することが可能である。
【００１９】
請求項５の発明によれば、引き出し規制部と脱落抑制部により、配線部材収納空間へ前記配線部材を挿入可能な挿入部を構成することとしたことにより、配線部材を配線部材収納空間に挿入して所定の位置に位置決めすることが可能である。
【００２０】
請求項６の発明によれば、基板収納ケースの側壁と引き出し規制部と脱落抑制部により配線部材収納空間を構成することにより、基板収納ケースにおいて配線部材収納空間を構成することが可能である。
【００２１】
請求項７の発明によれば、引き出し規制部及び脱落抑制部が基板収納ケースの端部側に設けられていることにより、引き出し規制部及び脱落抑制部を配置し易くなる。
【００２２】
請求項８の発明によれば、引き出し規制部と脱落抑制部の何れか一方あるいは双方に、配線部材収納空間における配線部材の収納位置を固定する配線部材収納位置固定部が形成されていることにより、配線部材収納空間に配線部材を固定した後に配線部材収納空間から配線部材が不意に外れることをより効果的に防止することが可能である。
【発明を実施するための最良の形態】
【００２３】
以下添付の図面に基づき本発明の好適な実施形態を説明する。図１は本発明の一実施例に係る遊技機について遊技盤の釘を省略して示す正面図、図２は同遊技機の裏面図である。
【００２４】
図１に示す本実施例の遊技機１は、遊技媒体として遊技球を用いるパチンコ遊技機であって、遊技盤３の縁に遊技球の外側ガイドレール４及び内側ガイドレール５が略円形に立設され、前記内側ガイドレール５によって囲まれた遊技領域６の中心線上にその上部から下部に向かって順に表示装置９、始動入賞口１０、特別電動役物である大入賞口１５、アウト口１７が配設され、また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらに前記大入賞口１５の両側に左落とし入賞口２７と右落とし入賞口２９が配設されている。なお、符号２２ａ，２２ｂは風車、Ｆ１は外枠、Ｆ２は外枠Ｆ１に取り付けられた前枠、Ｇは前枠Ｆ２に開閉可能にヒンジで取り付けられたガラス枠である。
【００２５】
また、前記遊技機の前面側には、効果音等を発する音声出力装置としてのスピーカ３２、ランプ装置としての右ランプ３３ａ及び左ランプ３３ｂ、払い出された遊技球を受けるための上側球受け皿３０、該上側球受け皿３０の飽和時に遊技球を受けるための下側球受け皿３１、前記外側ガイドレール４と内側ガイドレール５間の遊技球誘導路を介して遊技球を前記遊技領域６へ発射させる発射ハンドル３５が設けられている。前記発射ハンドル３５には遊技者が発射操作を行うための発射レバー３６を備えている。以下、所要の各部について詳述する。
【００２６】
前記表示装置９は、文字又は図柄等の画像を変動表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部４５が組み込まれ、その他の大部分が特別図柄表示部４２となっている。
【００２７】
前記特別図柄表示部４２は、判定図柄としての特別図柄を変動表示した後、遊技の当たり外れを判定する判定手段による判定結果に基づく確定判定図柄を表示する。本実施例の特別図柄表示部４２は、横に並ぶ３つの表示領域として左側表示領域、中央表示領域、右側表示領域を備え、左側表示領域では左特別図柄（左判定図柄）が、中央表示領域では中特別図柄（中判定図柄）が、右側表示領域では右特別図柄（右判定図柄）が、それぞれ変動表示し、所定時間変動表示した後、判定結果に基づき左確定特別図柄、中確定特別図柄、右確定特別図柄が確定判定図柄として停止表示される。また、前記特別図柄表示部４２には、前記特別図柄（判定図柄）に加えて背景画像（キャラクタ，背景，文字等を含む。）が表示されることもあり、該背景画像が特別図柄の変動開始等の所定条件に起因して変動表示可能となっていてもよい。なお、この実施例における前記左側表示領域、中央表示領域、右側表示領域にそれぞれ変動および停止表示される特別図柄（判定図柄）は、『１，２，３，４，５，６，７，８』の８通りの図柄とされている。本実施例では、遊技における大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で判定図柄が停止表示され、遊技者に有利な大当たり遊技（特別遊技）に移行する。
【００２８】
前記普通図柄表示部４５は、記号或いは絵（キャラクタ）等の小当たり判定用普通図柄を変動表示及び停止表示する。本実施例における普通図柄表示部４５に変動及び停止表示される普通図柄は、『０，１，２，３，４，５，６，７，８，９』の１０通りの図柄とされている。前記普通図柄は、小当たり普通図柄、この例では奇数で停止すると、小当たりとなる。
【００２９】
前記始動入賞口１０は、前記特別図柄表示部４２の真下に設けられ、２つの可動片１０ａ，１０ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記始動入賞口１０の拡開開放は、前記普通図柄表示部４５で普通図柄が変動した後特定の普通図柄（本実施例では奇数）で確定停止表示されて小当たり（普通図柄当たり）が成立した時に行われる。
【００３０】
また、前記遊技盤３の背面には、前記始動入賞口１０に入賞（入球）した遊技球を検出する始動入賞口検出スイッチ（始動入賞口センサ）が入賞球用通路に設けられており、本実施例では、前記始動入賞口検出スイッチによる入賞球の検出が、前記特別図柄（判定図柄）の変動表示開始に対する起因に設定されている。
【００３１】
前記普通図柄変動開始用左ゲート１９及び普通図柄変動開始用右ゲート２１は前記特別図柄表示部４２の左右に設けられ、前記遊技盤３の背面に設けられた普通図柄変動開始スイッチで両ゲート１９，２１を通過する遊技球を検出することによって前記普通図柄表示部４５で普通図柄の変動を開始させるようになっている。さらにまた、前記左袖入賞口２３と右袖入賞口２５の入賞球を検出する左袖入賞口用検出スイッチと右袖入賞口用検出スイッチ、前記左落とし入賞口２７と右落とし入賞口２９の入賞球を検出する左落とし入賞口用検出スイッチと右落とし入賞口用検出スイッチが、それぞれ対応する遊技盤背面に設けられている。
【００３２】
前記大入賞口１５は、前記始動入賞口１０の下方に設けられており、前記遊技盤３の背面に設けられた大入賞口開放用ソレノイドによって開閉する開閉板１６を備えている。この大入賞口１５は、通常は開閉板１６が閉じた状態とされ、当該大入賞口１５内の一部には、該大入賞口１５が開いた際に開口して入賞可能にする特定領域入賞口１５ａを有する。さらに、該特定領域入賞口１５ａには、所定条件時に特定領域開放用ソレノイドにより開閉される開閉扉が設けられている。また、前記特定領域入賞口１５ａには特定入賞球を検出する特定入賞球検出スイッチ（特定領域センサ）が設けられ、該入賞球の検出により大入賞口１５を再度開ける継続権利が成立するようにされている。また、大入賞口１５内の略中央には、前記大入賞口１５に入賞し、かつ前記特定領域入賞口１５ａに入賞しなかった入賞球を検出する入賞球数カウントスイッチ（カウントセンサ）が設けられている。
【００３３】
前記遊技機１における遊技について、簡単に説明する。前記発射ハンドル３５の発射レバー３６を右方向へ所要量回動させると、遊技機裏側の発射装置により遊技球が遊技領域６へ発射される。遊技領域６へ向けて発射された遊技球は、前記遊技領域６を流下する際に、前記種々の入賞口に入賞すると入賞口に応じた所定数の遊技球が賞球として上側球受け皿３０に払い出される。また、前記普通図柄変動開始用左ゲート１９及び普通図柄変動開始用右ゲート２１を遊技球が通過すると、小当たり判定・普通図柄決定用乱数値が取得され、その取得乱数値に基づいて普通図柄の当たり（小当たり）判定が行われ、前記普通図柄表示部４５で普通図柄が変動を開始し、所定時間変動後に停止する。その際、前記普通図柄の当たり判定結果が小当たりの場合には、小当たり普通図柄、この例では奇数で停止し、前記始動入賞口１０の２つの可動片１０ａ，１０ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口１０に遊技球が入賞すると、所定数の遊技球が賞球として払い出される。
【００３４】
また、前記始動入賞口１０に遊技球が入賞すると、大当たり当否判定用乱数値及び大当たり確定特別図柄の組合せ決定用乱数値が取得され、前記取得された大当たり当否判定用乱数値に基づいて大当たりの当否判定が行われ、前記特別図柄表示部４２で特別図柄が変動を開始し、所定時間変動後に停止する。
【００３５】
前記大当たりの当否判定結果が大当たりの場合には、前記特別図柄表示部４２に大当たり確定特別図柄組合せ、この例では『１，１，１』（いわゆる‘１’のぞろ目）や『２，２，２』（いわゆる‘２’のぞろ目）等、同一数字の組合せ）で停止表示され、遊技者に有利な大当たり遊技（特別遊技）に移行する。前記大当たり遊技（特別遊技）状態になると、前記大入賞口１５の開閉板１６が開いて遊技領域６表面を落下してくる遊技球を受け止め易くして、大入賞口１５へ入賞可能にし、該大入賞口１５への入賞があると、所定数の遊技球が賞球として払い出される。前記開閉板１６は、所定時間（例えば２９．５秒）経過後、或いは入賞球数が所定個数（例えば１０個）となった時点で閉じるようにされている。また、前記大入賞口１５の開放中又は大入賞口１５が閉じてから約２秒以内に、大入賞口内の特定領域入賞口１５ａへの入賞球が検出されると、前記大当たりを再度繰り返す継続権利が発生し、所定最高回数（例えば最高１６回）、前記開閉板１６の開放を繰り返すようになっている。
【００３６】
前記遊技機１の裏面側には、図２に示すように、主基板収納ケース５１、表示基板収納ケース５２、ランプ基板収納ケース５３、音声基板収納ケース５４、払出基板収納ケース５５、発射装置基板収納ケース５６、電源基板収納ケース５７、枠用外部端子基板収納ケース５８、払出装置５９、遊技店からの遊技球を貯留するタンク６０、遊技球を前記タンク６０から前記払出装置５９へ誘導するタンクレール６１、遊技球の発射装置３７等が取り付けられている。前記の各基板収納ケースには、対応する制御基板がそれぞれ収納されている。すなわち、前記主基板収納ケース５１には主制御基板、前記表示基板収納ケース５２には表示制御基板、前記ランプ基板収納ケース５３にはランプ制御基板、前記音声基板収納ケース５４には音声制御基板、前記払出基板収納ケース５５には払出制御基板、前記発射装置基板収納ケース５６には発射装置制御基板、前記電源基板収納ケース５７には電源制御基板、前記枠用外部端子基板収納ケース５８には枠用外部端子制御基板が収納されている。なお、前記各制御基板は、それぞれ制御回路が設けられ、電気的に接続が可能な配線部材によって、他の制御基板や対応する装置等と接続されている。主な制御基板について、以下に簡単に説明する。
【００３７】
前記主制御基板は、ＣＰＵ，ＲＡＭ，ＲＯＭ，複数のカウンタを備えたワンチップマイクロコンピュータと、該ワンチップマイクロコンピュータと表示制御基板やランプ制御基板、音声制御基板等とを結ぶ入出力回路と、前記ワンチップマイクロコンピュータと払出制御基板等とを結ぶ入出力回路を備え、遊技の当否判定や各制御回路に対する制御等、遊技の主な制御を行う。前記主制御基板のＣＰＵは、制御部，演算部，各種カウンタ，各種レジスタ，各種フラグ等を備え、演算制御を行う他、大当たりや小当たり（始動入賞口１０の拡開開放を行う普通図柄当たり）に関する乱数等も生成し、また前記各回路に制御コマンド（制御信号）を出力（送信）可能に構成されている。前記ＲＡＭは、ＣＰＵで生成される各種乱数値用の記憶領域、各種データを一時的に記憶する記憶領域やフラグ、ＣＰＵの作業領域を備える。また、前記ＲＯＭには、遊技上の制御プログラムや制御データが書き込まれている他、大当たり及び小当たりの判定値等が書き込まれている。
【００３８】
前記表示制御基板は、前記主制御基板からのコマンドに基づいて前記表示装置９の制御、すなわち前記特別図柄表示部４２及び普通図柄表示部４５の制御を行う。前記表示制御基板には、表示制御用ＣＰＵの他に表示装置の制御データを記憶する制御データＲＯＭ、受信コマンドを一時記憶する制御データＲＡＭ、表示データを記憶する表示データＲＯＭなどを備える。
【００３９】
前記ランプ制御基板は、受信コマンドに基づいて前記ランプ装置の発光制御を行う。前記ランプ制御基板には、ランプ制御用ＣＰＵの他にランプ装置の制御データを記憶する制御データ、受信したコマンドを一時記憶する制御データＲＡＭ、発光データを記憶する発光データＲＯＭを備える。
【００４０】
前記音声制御基板は、受信コマンドに基づいて、スピーカ３２から発生させるＢＧＭや演出時の音声の選択を行い、スピーカ３２から発する音声を制御する。前記音声制御基板には、音声制御用ＣＰＵの他に音声を発生させるための制御データ等を記憶する制御データＲＯＭ、受信コマンドを一時記憶する制御データＲＡＭ、演出時の各種音声データ、ＢＧＭデータを記憶する音声データＲＯＭを備える。前記音声制御用ＣＰＵが、前記受信コマンドに基づいて音声データＲＯＭから必要な音声データを読み出し、音声信号を合成し、アンプに出力する。アンプは音声信号を増幅してスピーカ３２に出力する。
【００４１】
前記払出制御基板は前記払出装置５９による賞球及び貸球の払出を制御する。また、前記発射制御基板は、遊技者の手が発射ハンドル３５に触れているか否かを、前記発射ハンドル３５に設けられているタッチセンサ（図示せず）により検出し、前記発射装置３７を制御する。
【００４２】
前記制御基板を収容する各基板収納ケースは、前記制御基板を収納可能なケースで構成されている。本実施例においては、前記払出基板収納ケース５５に本発明の基板収納ケースの構成が適用されている。以下、前記払出基板収納ケース５５について詳述する。
【００４３】
前記払出基板収納ケース５５は、図３に示すような取付台Ｋを介して前記遊技機１の裏側に取り付けられる。前記取付台Ｋは、金属板などからなり、前記遊技機１の裏側にネジや係合爪などで取り付けられる。また、前記払出基板収納ケース５５は、前記取付台Ｋにネジなどで取り付けられる。
【００４４】
図４は前記払出基板収納ケース５５の分解斜視図、図５は前記払出基板収納ケース５５におけるカバー体７１について引き出し規制部材７５０及び金属プレート７２の取付前の斜視図、図６は前記払出基板収納ケース５５における配線部材取付前の斜視図、図７は前記払出基板収納ケース５５における配線部材取付後の斜視図、図８は前記払出基板収納ケース５５における配線部材の引き出し方向規制を説明する図、図９は図８のＡ−Ａ断面図である。
【００４５】
前記払出基板収納ケース５５は、本実施例では透明なプラスチック製からなり、ケース体６５とカバー体７１で構成され、前記ケース体６５と前記カバー体７１間で形成される基板収納空間に払出制御基板Ｐが収納される。前記払出制御基板Ｐには、一コーナー部の表面に被接続部Ｐ１としてのコネクタが設けられている。
【００４６】
前記ケース体６５は、前記払出基板収納ケース５５における取付側半体に相当し、本実施例では前記払出制御基板Ｐを載置可能な大きさの浅い箱状からなり、一側側壁６５２にカバー体係止片挿入開口部６５４，６５４が形成され、反他側の側壁６５３にケース体係止片６５５，６５５と封止部形成片６５６が形成されている。前記ケース体係止片６５５，６５５の先端には外向きの爪が形成されている。なお、前記ケース体６５の裏面側が前記取付台Ｋにネジで取り付けられる。
【００４７】
前記封止部形成片６５６は、前記ケース体係止片６５５，６５５間に立設された板状部６５７の先端に複数組（図示の例では４組）のケース体側封止部６５８が細いくびれ状の切断破壊可能部を介して形成されている。前記封止部形成片６５６は、前記カバー体７１が前記ケース体６５に被せられた際に前記カバー体７１の外側に位置するように形成されている。前記ケース体側封止部６５８にはそれぞれ封止部材挿通孔６５９が形成されている。
【００４８】
前記カバー体７１は、前記払出基板収納ケース５５における蓋体側半体に相当し、前記ケース体６５側へ向けて開口した箱状からなり、前記ケース体６５に被さる大きさからなる。前記カバー体７１は、一側の側壁７１１に、前記カバー体係止片挿入開口部６５４，６５４に挿入係止可能なカバー体係止片７１５，７１５が外向きに突出形成され、反対の側壁７１２には前記ケース体係止片６５５，６５５の挿入係止可能なケース体係止片挿入開口部７１６，７１６とカバー体側封止部７１８が形成されている。
【００４９】
前記カバー体７１における前記ケース体係止片挿入用開口部７１６，７１６は、前記カバー体７１の厚み方向Ｈに開口しており、前記ケース体係止片６５５，６５５が挿入されることにより、前記ケース体係止片６５５先端の爪が前記ケース体係止片挿入用開口部７１６，７１６の開口縁に係合するように構成されている。図５にカバー体７１を拡大して示す。
【００５０】
前記カバー体側封止部７１８は、前記ケース体６５に前記カバー体７１を被着した際の前記ケース体側封止部６５８と位置を合わせて複数組（図示の例では４組）形成されている。前記カバー体側封止部７１８は、前記封止部材用ケース体側挿通孔６５９に位置を合わせて封止部材用カバー体側挿通孔７１９が形成されている。また、前記カバー体側封止部７１８が設けられている前記側壁７１２の内側には、前記カバー体側封止部７１８と位置を合わせて封止部材係合孔７２１の形成された金属プレート７２を、前記側壁７１２との間で挟持するための挟持片７１７が形成され、前記挟持片７１７に前記封止部材用カバー体側挿通孔７１９と位置を合わせて封止部材用カバー体側挿通孔７１９ａが形成されている。前記金属プレート７２の封止部材係合孔７２１は、前記カバー体側封止部７１８（すなわち封止部材用カバー体側挿通孔７１９，７１９ａ）及び前記封止部材用ケース体側挿通孔６５９よりも所定量小径とされている。前記カバー体側封止部７１８の形成されている前記側壁７１２の外面には、前記ケース体６５に前記カバー体７１が被着された際に、前記ケース体６５における前記封止部形成片６５６の先端側が挿入される封止部形成片挿入部７２３が、前記ケース体６５側へ向けて開口形成されている。
【００５１】
前記ケース体６５とカバー体７１の封止は、前記ケース体６５に前記カバー体７１が被着された後、先端側外周に環状の係合溝９１の形成されている封止部材９０を前記ケース体側封止部６５８及び前記カバー体側封止部７１８に挿通し、前記金属プレート７２の封止部材係合孔７２１に前記封止部材９０の係合溝９１を係合させることにより行われる。なお、前記封止の解除は、前記ケース体６５における前記封止部形成片６５６の前記細いくびれ状の切断破壊可能部を切断あるいは破壊することにより可能となる。
【００５２】
また、前記カバー体７１において、厚み方向Ｈと略垂直な外面（制御基板と略平行な外面）には、前記払出基板収納ケース５５の一端部側に、引き出し規制部形成面７３１と、脱落抑制部形成面７４１が、各々段差で略平行となる位置関係に設けられている。なお、本実施例では、前記カバー体７１において厚み方向Ｈと略垂直な外面（制御基板と略平行となる外面）として、前記払出基板収納ケース５５における厚みが最大の部位を構成する第１外面７１ａと、厚みが最少の部位を構成する第３外面７１ｃと、厚みが中間の部位を構成する第２外面７１ｂが、互いに略平行にかつ段差形状に形成されている。前記第１外面７１ａの一端部側には第１凹部７３０が形成され、前記第１凹部７３０の底面が前記引き出し規制部形成面７３１を構成している。一方、前記第２外面７１ｂにおいて、前記第１凹部７３０と対応する一端部側には第２凹部７４０が形成され、前記第２凹部７４０の底面が前記脱落抑制部形成面７４１と開口部形成面７４３を構成している。本実施例では、前記脱落抑制部形成面７４１と前記開口部形成面７４３は同一面に略隣接して設けられている。なお、前記引き出し規制部形成面７３１と前記脱落抑制部形成面７４１と前記開口部形成面７４３の位置関係は、本実施例に限られるものではなく、各々厚み方向Ｈに対して異なる高さとなるようにしてもよいし、それら３つの形成面のうち少なくとも２つの形成面が同一面となるようにしてもよい。
【００５３】
前記引き出し規制部形成面７３１の外面には、引き出し規制部材位置決めピン７３２が立設され、前記引き出し規制部材位置決めピン７３２が挿入される位置決め孔７５１の形成された引き出し規制部材７５０が溶着されている。前記引き出し規制部材７５０は、図９からよりよく理解されるように、固定用基部７５２と、前記固定用基部７５２から前記払出基板収納ケース５５の外方へ突出した引き出し規制部７５３とを有する。前記引き出し規制部７５３は、前記脱落抑制部形成面７４１に対して略平行に払出基板収納ケース５５の外方へ突出した本体部７５４と、前記本体部７５４の先端で屈曲して前記脱落抑制部形成面７４１側へ突き出された突出部７５５とよりなる。前記本体部７５４は、前記脱落抑制部形成面７４１に対して所定距離離れて略平行に位置し、また、前記突出部７５５は前記第２凹部７４０の側壁７４４（前記払出基板収納ケース５５の側壁に相当する）に対して略平行に所定距離離れた位置となるように形成されている。
【００５４】
また、本実施例では、前記固定用基部７５２には前記引き出し規制部７５３とは反対側に細いくびれ状の切断破壊可能部７５６を介して予備封止部材保持部７５７が複数組（本実施例では３組）形成されている。前記予備封止部材保持部７５７は、予備封止部材９３を挿通可能な孔７５８が形成されていると共に、前記孔７５８に挿通された予備封止部材９３の拡大頭部９３１を前記引き出し規制部形成面７３１と前記予備封止部材保持部７５７の間で挟持可能なように構成されている。前記予備封止部材９３は、前記払出基板収納ケース５５の封止を解消した後に、再び封止する際に使用される封止部材であり、前記払出基板収納ケース５５の封止に用いられている前記封止部材９０と同一の構成からなる。なお、前記予備封止部材保持部７５７に保持された予備封止部材９３は、前記カバー体７１の表面（図示の例では第１外面７１ａ）から突出しないようにされ、それによって、配線部材Ｃを後述の配線部材収納空間７６１に配置する等の際に、配線部材Ｃが予備保持部材９３に引っ掛かって破損する可能性を低減することができる。また、本実施では、予備封止部材保持部７５７と引き出し規制部７５３を１つの部材で構成したため、部材の節約が可能となっている。
【００５５】
一方、前記脱落抑制部形成面７４１には、脱落抑制部７４５が前記引き出し規制部７５３側に向けて突出して形成されている。本実施例において、前記脱落抑制部７４５は、前記引き出し規制部７５３における先端の突出部７５５と前記第２凹部７４０の側壁７４４（前記払出基板収納ケース５５の側壁に相当する）との間に、前記脱落抑制部７４５の先端７４６（図９に示す）が配置可能な板状からなると共に、前記先端７４６が前記引き出し規制部７５３の本体部７５４の内面から所定距離離れた位置となるように構成されている。前記第２凹部７４０の側壁７４４（前記払出基板収納ケース５５の側壁に相当する）と、前記引き出し規制部７５３と、前記脱落抑制部７４５で略包囲される空間によって配線部材収納空間７６１が構成されている。また、前記脱落抑制部７４５と前記引き出し規制部７５３の突出部７５５との間には、前記配線部材Ｃを前記配線部材収納空間７６１へ挿入可能な挿入部７６３として隙間が形成されている。前記挿入部７６３は、前記配線部材Ｃを前記配線部材収納空間７６１から引き出す際の引き出し部としても利用される。
【００５６】
前記開口部形成面７４３は開口部７４７（図５等に示す）が形成されていると共に、前記引き出し規制部７５３との間に前記配線部材Ｃを通すことが可能とされている。前記開口部７４７は、前記払出基板収納ケース５５に収納された払出制御基板Ｐの被接続部Ｐ１を露出させ、前記接続部材Ｃの接続部Ｃ１としてのプラグを挿入可能とするものである。前記開口部７４７の位置は、図７及び図８から容易に理解されるように、前記開口部７４７に挿通されて前記払出制御基板Ｐの被接続部Ｐ１に接続部Ｃ１で接続された配線部材Ｃを、前記開口部形成面７４３と前記引き出し規制部７５３間に通した際に、前記開口部７４７から一旦屈曲させる位置とされる。
【００５７】
前記払出基板収納ケース５５にあっては、図８及び図９に示すように、配線部材Ｃが前記配線部材収納空間７６１に収納されているため、配線部材Ｃが乱雑にならず、しかも前記払出基板収納ケース５５などに引っ掛かって破損するおそれを低減することができる。また、前記配線部材収納空間７６１に収納されている配線部材Ｃを、前記挿入部７６３の反対側方向Ｄへ引き出そうとしても、前記引き出し規制部７５３の本体部７５４に配線部材Ｃが衝突して前記配線部材収納空間７６１から引き出されるのが防止される。また、前記配線部材Ｃが、前記引き出し規制部７５３の突出部７５５と交差する外方向Ｆへ引っ張られることがあっても、その場合には、前記配線部材Ｃが、前記引き出し規制部７５３の突出部７５５及び前記脱落抑制部７４５と衝突して前記配線部材収納空間７６１から引き出されるのが防止される。さらに、前記開口部７４７に挿通されて前記払出基板収納ケース５５内の払出制御基板Ｐの被接続部Ｐ１に接続部Ｃ１で接続された配線部材Ｃは、前記開口部形成面７４３（本実施例では脱落抑制部規制面７４１と同一面で構成されている）と前記引き出し規制部７５３間に通した際に、前記開口部７４７から一旦屈曲しているため、前記配線部材Ｃに沿う方向Ｅへ配線部材Ｃが引っ張られることがあっても、引っ張られる方向Ｅと、前記配線部材Ｃの接続部Ｃ１が前記払出基板Ｐの被接続部Ｐ１から外れる方向Ｍとが異なるため、前記配線部材Ｃの接続部Ｃ１が前記払出制御基板Ｐの被接続部Ｐ１から外れるのを抑えることが可能である。また、前記挿入部７６３の反対側方向Ｄや前記引き出し規制部７５３の突出部７５５と交差する外方向Ｆへ配線部材Ｃが引っ張られることがあっても、前記突出部７５５や本体部７５４に配線部材Ｃが衝突するため、前記接続部Ｃ１が被接続部Ｐ１から外れる方向Ｍに力が働きにくく、前記被接続部Ｐ１から接続部Ｃ１が外れるのを抑えることが可能である。
【００５８】
しかも、前記配線部材収納空間７６１に収納された配線部材Ｃに、前記脱落抑制部７４５に対して交差する外方向Ｇへ力が働いても、前記配線部材Ｃは前記脱落抑制部７４５と衝突して外方向Ｇへの移動が阻止されるため、前記引き出し規制部７５３の突出部７５５の先端と前記脱落抑制部形成面７４１（本実施例では開口部形成面７４３と同一面）との隙間７４８を通って不意に外れることが防止される。なお、前記配線部材収納空間７６１に収納された配線部材Ｃを前記配線部材収納空間７６１から引き出すには、前記引き出し規制部７５３の先端の突出部７５５に沿って前記配線部材Ｃを挿入部７６３へ移動させ、前記挿入部７６３から配線部材収納空間７６１の外部へ誘導すればよい。
【００５９】
また、前記引き出し規制部７５３と前記脱落抑制部７４５の何れか一方あるいは双方に、前記配線部材収納空間７６１における配線部材Ｃの収納位置を固定する配線部材収納位置固定部を形成して、前記配線部材Ｃが配線部材収納空間７６１から脱落するのをより確実に防止可能にしてもよい。図１０は、前記引き出し規制部７５３の突出部７５５の先端を前記脱落抑制部７４５側へ突出させて配線部材収納位置固定部７５８を形成し、前記配線部材収納空間７６１に略コの字状の配線部材位置固定空間Ｓ１を設けた例である。
【００６０】
また、前記脱落抑制部７４５を前記第１凹部７３０側に形成し、前記引き出し規制部７５３を前記第２凹部７４０側に形成してもよい。図１１に示す払出基板収納ケース５５Ａは、前記カバー体７１の第１凹部７３０の底面を脱落抑制部形成面７３１Ａとする一方、前記第２凹部７４０の底面を引き出し規制部形成面７４１Ａと開口部形成面７４３Ａとし、前記脱落抑制部形成面７３１Ａには脱落抑制部材７３５Ａが溶着により固定され、前記引き出し規制部形成面７４１Ａには引き出し規制部７４５Ａが突出形成された例である。前記脱落抑制部材７３５Ａにおいて、符号７３６Ａは固定用基部、７３７Ａは細いくびれ状の切断破壊可能部、７３８Ａは予備封止部材保持部、７３９Ａは脱落抑制部である。また、前記引き出し規制部７４５Ａにおいて、符号７４６Ａは前記引き出し規制部形成面７４１Ａに対して略垂直方向へ突出した本体部、符号７４７Ａは、前記引き出し規制部形成面７４１Ａに対して略平行に突出した突出部である。その他の符号は、前記払出基板収納ケース５５で示した部分と同一部分である。
【００６１】
なお、本実施例では基板収納ケースの構成に関して、払出基板収納ケースを例にして説明したが、本発明における基板収納ケースの構成は、払出基板収納ケースに限定されるものではなく、他の基板収納ケースについても適用可能である。また、引き出し規制部及び脱落抑制部の位置は、本実施例の位置に限定されず、基板収納ケースにおける他の端部であってもよい。また、本実施例では引き出し規制部及び脱落抑制部をカバー体に設けているが、ケース体に設けてもよいし、ケース体とカバー体の何れか一方に引き出し規制部を設け、他方に脱落抑制部を設ける構成でもよい。また、本発明は、パチンコ遊技機に限られず、制御基板を収容する基板収納ケースを有する遊技機であれば適用可能である。
【図面の簡単な説明】
【００６２】
【図１】本発明の一実施例に係る遊技機について遊技盤の釘を省略して示す正面図である。
【図２】同遊技機の裏面図である。
【図３】取付台と払出基板収納ケースの分離状態を示す斜視図である。
【図４】払出基板収納ケースの分解斜視図である。
【図５】払出基板収納ケースにおけるカバー体について引き出し規制部材及び金属プレート取付前の斜視図である。
【図６】払出基板収納ケースにおける配線部材取付前の斜視図である。
【図７】払出基板収納ケースにおける配線部材取付状態の斜視図である。
【図８】払出基板収納ケースにおける配線部材の引き出し方向規制を説明する図である。
【図９】図８のＡ−Ａ断面図である。
【図１０】配線部材収納位置固定部の例を示す断面図である。
【図１１】払出基板収納ケースの他の例を示す斜視図及びＢ−Ｂ断面図である。
【符号の説明】
【００６３】
１  遊技機
３  遊技盤
６  遊技領域
９  表示装置
３５  発射ハンドル
５５  払出基板収納ケース
６５  ケース体
７１  カバー体
７３１  引き出し規制部形成面
７４１  脱落抑制部形成面
７４３  開口部形成面
７４５  脱落抑制部
７４７  開口部
７５３  引き出し規制部
７５８  配線部材収納位置固定部
７６１  配線部材収納空間
７６３  挿入部
Ｃ    配線部材
Ｃ１  配線部材の接続部
Ｓ１  配線部材位置固定空間
Ｐ    払出制御基板（制御基板）
Ｐ１  払出制御基板（制御基板）の被接続部
【図１】
2007117514.tif 000003
【図２】
2007117514.tif 000004
【図３】
2007117514.tif 000005
【図４】
2007117514.tif 000006
【図５】
2007117514.tif 000007
【図６】
2007117514.tif 000008
【図７】
2007117514.tif 000009
【図８】
2007117514.tif 000010
【図９】
2007117514.tif 000011
【図１０】
2007117514.tif 000012
【図１１】
2007117514.tif 000013